(57)【要約】【課題】情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、以前の格納領域に対応する移転先の格納領域を容易に判別することを可能とする。【解決手段】情報処理装置２３は、上記の場合に、上記利用者を識別する利用者識別情報と関連付けて、上記移転先のＭ個の格納領域を記憶部２２に記録する記録部２３ａと、利用者装置１０から利用者識別情報を含む接続要求を受けると、当該利用者識別情報により識別される利用者に割り当てられている格納領域を、上記利用者識別情報と関連付けて記憶部２２に記録されている移転先の格納領域の判別が容易な態様で、利用者装置１０に表示させる表示部２３ｂと、を有する。【選択図】図２
2008097464.tif 000002
【特許請求の範囲】
【請求項１】
情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、前記利用者を識別する利用者識別情報と関連付けて、前記移転先のＭ個の格納領域を記憶部に記録する記録部と、
外部装置から利用者識別情報を含む接続要求を受けると、前記利用者識別情報により識別される利用者に割り当てられている格納領域を、前記利用者識別情報と関連付けて前記記憶部に記録されている移転先の格納領域の判別が容易な態様で、前記外部装置に表示させる表示部と、
を有することを特徴とする情報処理装置。
【請求項２】
情報格納部内の格納領域が利用者に提供されるシステムであって、利用者に提供される格納領域の個数を増加させる移行が行われると、前記利用者を識別する新たな利用者識別情報が用意され、前記利用者に対して新たなＮ個（Ｎは２以上の整数）の格納領域が割り当てられ、移行前のＭ個（ＭはＮより小さい整数）の格納領域内の情報が新たなＭ個の格納領域に移転されるシステムにおいて、前記移行が行われた場合に、移転先の格納領域の各々について、新たな利用者識別情報と移転先の格納領域との対と関連付けて、移行前の利用者識別情報を検索情報として記憶部に記録する記録部と、
外部装置から利用者識別情報を含む接続要求を受けると、当該利用者識別情報により識別される利用者に割り当てられている格納領域を前記外部装置に表示させ、前記外部装置から検索情報の指定を受けると、前記記憶部の記録内容に基づき、前記利用者識別情報と対をなし、前記指定された検索情報と関連付けられている移転先の格納領域が容易に判別可能となるように、前記外部装置における表示を変更させる表示部と、
を有することを特徴とする情報処理装置。
【請求項３】
請求項２に記載の情報処理装置において、
前記記録部は、前記移行が行われた場合に、当該移行前の利用者識別情報と格納領域Ａとの対と関連付けて検索情報Ｂが前記記憶部に記録されているときには、新たな利用者識別情報と前記格納領域Ａに対応する移転先の格納領域との対と関連付けて、前記検索情報Ｂを前記記憶部に記録する、
ことを特徴とする情報処理装置。
【請求項４】
請求項２または３に記載の情報処理装置において、
前記記録部は、利用者から当該利用者に割り当てられた格納領域に対する名称の設定の指示を受けると、当該利用者を識別する利用者識別情報と当該格納領域との対と関連付けて、前記指示された名称を前記記憶部に記録し、
前記表示部は、ある利用者のある格納領域を表示させる場合に、当該利用者と当該格納領域との対と関連付けて名称が前記記憶部に記録されているときには、当該名称を当該格納領域と関連付けて表示させる、
ことを特徴とする情報処理装置。
【請求項５】
請求項４に記載の情報処理装置において、
前記記録部は、前記移行が行われた場合に、当該移行前の利用者識別情報と格納領域Ｃとの対と関連付けて名称Ｄが前記記憶部に記録されているときには、新たな利用者識別情報と前記格納領域Ｃに対応する移転先の格納領域との対と関連付けて、前記名称Ｄを前記記憶部に記録する、
ことを特徴とする情報処理装置。
【請求項６】
請求項２から５のいずれか１項に記載の情報処理装置において、
前記記録部は、利用者から当該利用者に割り当てられた格納領域に対する分類名の設定の指示を受けると、当該利用者を識別する利用者識別情報と当該格納領域との対と関連付けて、前記指示された分類名を前記記憶部に記録し、
前記表示部は、外部装置から利用者識別情報を含む接続要求を受けると、当該利用者識別情報により識別される利用者に割り当てられている格納領域を前記外部装置に表示させ、前記外部装置から分類名の指定を受けると、前記記憶部の記録内容に基づき、前記利用者識別情報と対をなし、前記指定された分類名と関連付けられている格納領域が容易に判別可能となるように、前記外部装置における表示を変更させる、
ことを特徴とする情報処理装置。
【請求項７】
請求項６に記載の情報処理装置において、
前記記録部は、前記移行が行われた場合に、当該移行前の利用者識別情報と格納領域Ｅとの対と関連付けて分類名Ｆが前記記憶部に記録されているときには、新たな利用者識別情報と前記格納領域Ｅに対応する移転先の格納領域との対と関連付けて、前記分類名Ｆを前記記憶部に記録する、
ことを特徴とする情報処理装置。
【請求項８】
コンピュータに、
情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、前記利用者を識別する利用者識別情報と関連付けて、前記移転先のＭ個の格納領域を記憶部に記録するステップと、
外部装置から利用者識別情報を含む接続要求を受けると、前記利用者識別情報により識別される利用者に割り当てられている格納領域を、前記利用者識別情報と関連付けて前記記憶部に記録されている移転先の格納領域の判別が容易な態様で、前記外部装置に表示させるステップと、
を実行させることを特徴とする情報処理プログラム。
【請求項９】
コンピュータに、
情報格納部内の格納領域が利用者に提供されるシステムであって、利用者に提供される格納領域の個数を増加させる移行が行われると、前記利用者を識別する新たな利用者識別情報が用意され、前記利用者に対して新たなＮ個（Ｎは２以上の整数）の格納領域が割り当てられ、移行前のＭ個（ＭはＮより小さい整数）の格納領域内の情報が新たなＭ個の格納領域に移転されるシステムにおいて、前記移行が行われた場合に、移転先の格納領域の各々について、新たな利用者識別情報と移転先の格納領域との対と関連付けて、移行前の利用者識別情報を検索情報として記憶部に記録するステップと、
外部装置から利用者識別情報を含む接続要求を受けると、当該利用者識別情報により識別される利用者に割り当てられている格納領域を前記外部装置に表示させ、前記外部装置から検索情報の指定を受けると、前記記憶部の記録内容に基づき、前記利用者識別情報と対をなし、前記指定された検索情報と関連付けられている移転先の格納領域が容易に判別可能となるように、前記外部装置における表示を変更させるステップと、
を実行させることを特徴とする情報処理プログラム。
【発明の詳細な説明】
【技術分野】
【０００１】
本発明は、情報処理装置および情報処理プログラムに関する。
【背景技術】
【０００２】
図１４は、情報の伝達や共有を可能とする従来のシステムの構成の一例を示すブロック図である。図１４では、プリンタ、ファクシミリ、スキャナ機能等を併せ持つ複合機１１０−１が、ある企業のイントラネットＮ１１に接続されている。複合機１１０−１のスキャナにより紙原稿から読み取られた情報は、第三者への漏洩を防止するために暗号化され、イントラネットＮ１１から更にインターネットＮ１３へと伝達され、情報格納サーバ１２０に到達して格納される。情報格納サーバ１２０に格納された情報は、複合機１１０−１が接続されているイントラネットＮ１１とは別のイントラネットＮ１２に接続されたコンピュータ１１０−２で動作するアプリケーション（Ｗｅｂブラウザ等）により取り出される。この場合、情報格納サーバ１２０に格納されていた情報は、暗号化され、インターネットＮ１３そしてイントラネットＮ１２と伝達され、コンピュータ１１０−２で動作するアプリケーションに到達する。
【０００３】
このようなシステムによれば、同じイントラネットに接続していない企業間でも、情報の伝達や情報共有が可能となる。
【０００４】
上記のようなシステムとしては、例えば、キヤノン株式会社の“Ｃ−Ｃａｂｉｎｅｔ”がある。
【０００５】
なお、特許文献１には、アクセス権の管理に関する技術が開示されている。
【０００６】
【特許文献１】特開平７−２４４６３９号公報
【発明の開示】
【発明が解決しようとする課題】
【０００７】
上記の従来技術の最小構成は、複合機１台、情報格納サーバの格納領域（以降、「ボックス」と呼ぶ）１個、情報を取り出すアプリケーション１個となる。この場合、情報格納サーバに許可される接続数は、複合機１つ、アプリケーション１つ、合計２つとなっている。ただし、情報格納サーバは、有償、無償にかかわらず、ＡＳＰ(Application Service Provider)サービスとして提供されるものなので、利用者はＡＳＰと契約を結ばなければならない。この契約形態には、さまざまな種類が考えられる。
【０００８】
上記最小構成で１契約を結ぶ場合もあれば、複合機１０台、情報格納サーバのボックス１０個、アプリケーション１０個で１契約ということもある。
【０００９】
例えば、次のような場面を考察する。
【００１０】
ある企業が最初は、最小構成で１契約を結んだ。その後、１つ２つと最小構成での契約を追加していった。契約が５つになった時点で、今後の拡張性、料金、手続きの煩雑性を解消するために、複合機１０台、情報格納サーバのボックス１０個、アプリケーション１０個で１契約に乗り換えることにした。
【００１１】
契約の乗り換え方としては、いくつかのものが想定される。新たなボックスを確保して、まっさらな状態から一から使用してもらい、今までのボックスは全て破棄する。この方法では問題がある場合、手動または自動で、今までのボックス内の情報を新しいボックスに移行することも考えられる。こうして契約が乗り換えられた結果、複合機、もしくはアプリケーションから見たボックスは、今まで、それぞれ１つしか見えていなかったものが１０個並んで見えることになる。ボックス名に重複がなければ、乗り換えた契約でも同じボックス名を利用することが可能である。ボックス名が重複していた場合、通常のファイルシステムの制約に沿うと、ボックス名は重複できないので、今まで５つのボックスが全て「Ｂｏｘ−１」と名づけられていた場合、例えば強制的に（Ｂｏｘ−１，Ｂｏｘ−１（１），Ｂｏｘ−１（２），・・・）等と名前を変更することが考えられる。また、内部的に、それぞれ異なる識別子を持たせ、全て同じ名前「Ｂｏｘ−１」とする場合も考えられる。
【００１２】
ここで共通する問題は、複合機、またはアプリケーションから、１０個並んだボックスのうち、今まで自分が使っていたボックスに対応するものがどれなのか、容易に判別がつかないことである。個々のボックスの判別がつくように各ボックスの名前を変更すればよいのだが、例えば手動変更する場合、ボックス数が増えると変更する管理担当者にとって手間が掛かるし、仮にユニークな名前が付けられたとしても、ずらりと並んだボックスの判別が困難であることには変わりはない。
【００１３】
以上、説明の便宜上、従来のシステムの問題点について具体的に説明したが、当該問題点をより広く捉えると、次のような問題がある。
【００１４】
すなわち、情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合、利用者に対して新たなＮ個の格納領域が提供されることとなり、以前の格納領域に対応する移転先の格納領域を表示画面上で判別することが困難である。
【００１５】
そこで、本発明は、情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、以前の格納領域に対応する移転先の格納領域を容易に判別することを可能とする情報処理装置を提供する。
【課題を解決するための手段】
【００１６】
本発明に係る情報処理装置は、情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、前記利用者を識別する利用者識別情報と関連付けて、前記移転先のＭ個の格納領域を記憶部に記録する記録部と、外部装置から利用者識別情報を含む接続要求を受けると、前記利用者識別情報により識別される利用者に割り当てられている格納領域を、前記利用者識別情報と関連付けて前記記憶部に記録されている移転先の格納領域の判別が容易な態様で、前記外部装置に表示させる表示部と、を有することを特徴とする。
【００１７】
また、本発明に係る情報処理装置は、情報格納部内の格納領域が利用者に提供されるシステムであって、利用者に提供される格納領域の個数を増加させる移行が行われると、前記利用者を識別する新たな利用者識別情報が用意され、前記利用者に対して新たなＮ個（Ｎは２以上の整数）の格納領域が割り当てられ、移行前のＭ個（ＭはＮより小さい整数）の格納領域内の情報が新たなＭ個の格納領域に移転されるシステムにおいて、前記移行が行われた場合に、移転先の格納領域の各々について、新たな利用者識別情報と移転先の格納領域との対と関連付けて、移行前の利用者識別情報を検索情報として記憶部に記録する記録部と、外部装置から利用者識別情報を含む接続要求を受けると、当該利用者識別情報により識別される利用者に割り当てられている格納領域を前記外部装置に表示させ、前記外部装置から検索情報の指定を受けると、前記記憶部の記録内容に基づき、前記利用者識別情報と対をなし、前記指定された検索情報と関連付けられている移転先の格納領域が容易に判別可能となるように、前記外部装置における表示を変更させる表示部と、を有することを特徴とする。
【００１８】
本発明の一態様では、前記記録部は、前記移行が行われた場合に、当該移行前の利用者識別情報と格納領域Ａとの対と関連付けて検索情報Ｂが前記記憶部に記録されているときには、新たな利用者識別情報と前記格納領域Ａに対応する移転先の格納領域との対と関連付けて、前記検索情報Ｂを前記記憶部に記録する。
【００１９】
また、本発明の一態様では、前記記録部は、利用者から当該利用者に割り当てられた格納領域に対する名称の設定の指示を受けると、当該利用者を識別する利用者識別情報と当該格納領域との対と関連付けて、前記指示された名称を前記記憶部に記録し、前記表示部は、ある利用者のある格納領域を表示させる場合に、当該利用者と当該格納領域との対と関連付けて名称が前記記憶部に記録されているときには、当該名称を当該格納領域と関連付けて表示させる。
【００２０】
当該構成の一態様では、前記記録部は、前記移行が行われた場合に、当該移行前の利用者識別情報と格納領域Ｃとの対と関連付けて名称Ｄが前記記憶部に記録されているときには、新たな利用者識別情報と前記格納領域Ｃに対応する移転先の格納領域との対と関連付けて、前記名称Ｄを前記記憶部に記録する。
【００２１】
また、本発明の一態様では、前記記録部は、利用者から当該利用者に割り当てられた格納領域に対する分類名の設定指示を受けると、当該利用者を識別する利用者識別情報と当該格納領域との対と関連付けて、前記指示された分類名を前記記憶部に記録し、前記表示部は、外部装置から利用者識別情報を含む接続要求を受けると、当該利用者識別情報により識別される利用者に割り当てられている格納領域を前記外部装置に表示させ、前記外部装置から分類名の指定を受けると、前記記憶部の記録内容に基づき、前記利用者識別情報と対をなし、前記指定された分類名と関連付けられている格納領域が容易に判別可能となるように、前記外部装置における表示を変更させる。
【００２２】
当該構成の一態様では、前記記録部は、前記移行が行われた場合に、当該移行前の利用者識別情報と格納領域Ｅとの対と関連付けて分類名Ｆが前記記憶部に記録されているときには、新たな利用者識別情報と前記格納領域Ｅに対応する移転先の格納領域との対と関連付けて、前記分類名Ｆを前記記憶部に記録する。
【００２３】
本発明に係る情報処理プログラムは、コンピュータに、情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、前記利用者を識別する利用者識別情報と関連付けて、前記移転先のＭ個の格納領域を記憶部に記録するステップと、外部装置から利用者識別情報を含む接続要求を受けると、前記利用者識別情報により識別される利用者に割り当てられている格納領域を、前記利用者識別情報と関連付けて前記記憶部に記録されている移転先の格納領域の判別が容易な態様で、前記外部装置に表示させるステップと、を実行させることを特徴とする。
【００２４】
また、本発明に係る情報処理プログラムは、コンピュータに、情報格納部内の格納領域が利用者に提供されるシステムであって、利用者に提供される格納領域の個数を増加させる移行が行われると、前記利用者を識別する新たな利用者識別情報が用意され、前記利用者に対して新たなＮ個（Ｎは２以上の整数）の格納領域が割り当てられ、移行前のＭ個（ＭはＮより小さい整数）の格納領域内の情報が新たなＭ個の格納領域に移転されるシステムにおいて、前記移行が行われた場合に、移転先の格納領域の各々について、新たな利用者識別情報と移転先の格納領域との対と関連付けて、移行前の利用者識別情報を検索情報として記憶部に記録するステップと、外部装置から利用者識別情報を含む接続要求を受けると、当該利用者識別情報により識別される利用者に割り当てられている格納領域を前記外部装置に表示させ、前記外部装置から検索情報の指定を受けると、前記記憶部の記録内容に基づき、前記利用者識別情報と対をなし、前記指定された検索情報と関連付けられている移転先の格納領域が容易に判別可能となるように、前記外部装置における表示を変更させるステップと、を実行させることを特徴とする。
【発明の効果】
【００２５】
本発明によれば、情報格納部内の格納領域が利用者に提供されるシステムにおいて、Ｍ個（Ｍは１以上の整数）の格納領域が割り当てられていた利用者に対して、新たなＮ個（ＮはＭより大きい整数）の格納領域が割り当てられ、以前のＭ個の格納領域内の情報が新たなＭ個の格納領域に移転された場合に、以前の格納領域に対応する移転先の格納領域を容易に判別することを可能とする情報処理装置を提供することができる。
【発明を実施するための最良の形態】
【００２６】
以下、本発明の実施の形態を図面に従って説明する。
【００２７】
［第１の実施の形態］
図１は、本実施の形態に係る情報処理装置２３を含むシステム１の全体構成の一例を示すブロック図である。図１において、システム１は、利用者装置１０−１，１０−２（以降、適宜「利用者装置１０」と総称する）と、当該利用者装置１０に接続される情報格納装置２０とを含む。
【００２８】
利用者装置１０は、情報格納装置２０内の格納領域（以降、「ボックス」と呼ぶ）を利用するための装置である。図１の例では、利用者装置１０−１は、第１のイントラネットＮ１に接続された少なくともスキャナ機能を有する画像処理装置（例えばスキャナ機能の他にプリンタ機能、コピー機能、またはファクシミリ機能を持つ複合機）であり、利用者装置１０−２は、第２のイントラネットＮ２に接続されたパーソナルコンピュータ等のコンピュータである。
【００２９】
情報格納装置２０は、当該装置内のボックスを利用者に提供する装置である。具体的には、情報格納装置２０は、利用者を識別するための利用者識別情報（以降、「利用者ＩＤ」と呼ぶ）を含む接続要求を利用者装置１０から受けると、当該利用者ＩＤにより識別される利用者に割り当てられているボックスを当該利用者装置１０に提供する。図１の例では、情報格納装置２０は、データセンターに設置されたサーバコンピュータであり、インターネットＮ３およびイントラネットＮ１，Ｎ２を介して利用者装置１０−１，１０−２と接続されている。
【００３０】
図１には、２装置間で情報を伝達するための最小構成が例示されており、当該構成では、例えば次のように情報の伝達が行われる。ここでは、契約に基づき、２つの利用者ＩＤ「ＩＤ−１」，「ＩＤ−２」が発行されており、当該２つの利用者ＩＤに対して１個のボックス「Ｂｏｘ−１」が割り当てられているものとする。利用者装置１０−１は、利用者ＩＤ「ＩＤ−１」を含む接続要求を情報格納装置２０に送り、情報格納装置２０は、当該接続要求を受けると、利用者ＩＤ「ＩＤ−１」に割り当てられているボックス「Ｂｏｘ−１」を利用者装置１０−１に提供する。利用者装置１０−１は、紙原稿を読み取って画像ファイルを生成し、当該画像ファイルを上記提供されたボックス「Ｂｏｘ−１」に格納する。一方、利用者装置１０−２は、利用者ＩＤ「ＩＤ−２」を含む接続要求を情報格納装置２０に送り、情報格納装置２０は、当該接続要求を受けると、利用者ＩＤ「ＩＤ−２」に割り当てられているボックス「Ｂｏｘ−１」を利用者装置１０−２に提供する。利用者装置１０−２は、当該提供されたボックス「Ｂｏｘ−１」から上記画像ファイルを取得する。
【００３１】
なお、図１の例では２つの利用者装置１０−１，１０−２が示されているが、情報格納装置２０に接続される利用者装置１０は、１つであってもよいし、３つ以上であってもよい。また、利用者装置１０と情報格納装置２０との接続の形態は、上記に限定されない。
【００３２】
図２は、情報格納装置２０の機能構成の一例を示すブロック図である。以下、図２を参照して、情報格納装置２０の機能構成について説明する。
【００３３】
図２において、情報格納装置２０は、情報格納部２１と、記憶部２２と、情報処理装置２３とを有する。
【００３４】
情報格納部２１は、情報を格納するものであり、情報が格納される１以上のボックスを含む。情報格納部２１は、ハードディスク装置等の適宜の記憶装置によって実現される。
【００３５】
記憶部２２は、ボックスの提供に関する処理に用いられる各種の情報が記録されるものであり、ハードディスク装置等の適宜の記憶装置によって実現される。
【００３６】
情報処理装置２３は、ボックスの提供に関する処理を行う装置であり、機能ブロックとして記録部２３ａおよび表示部２３ｂを含む。
【００３７】
記録部２３ａは、Ｍ個（Ｍは１以上の整数）のボックスが割り当てられていた利用者に対して、新たなＮ個（ＮはＭより大きい整数）のボックスが割り当てられ、以前のＭ個のボックス内の情報が新たなＭ個のボックスに移転された場合に、上記利用者を識別する利用者ＩＤと関連付けて、移転先のＭ個のボックスを記憶部２２に記録する。
【００３８】
なお、どの利用者にどのボックスが割り当てられているかを示す情報は、例えば情報処理装置２３によって記憶部２２に記録されてもよいし、別の態様で記録されてもよい。
【００３９】
表示部２３ｂは、利用者装置１０から利用者ＩＤを含む接続要求を受けると、当該利用者ＩＤにより識別される利用者に割り当てられているボックスを、当該利用者ＩＤと関連付けて記憶部２２に記録されている移転先のボックスの判別が容易な態様で、上記利用者装置１０に表示させる。
【００４０】
ここで、ボックスを表示させる態様としては、例えば、ボックスを示す画像要素（アイコン等）を表示画面上に表示させることが挙げられる。
【００４１】
また、表示部２３ｂは、最初から移転先のボックスの判別が容易な態様で表示させてもよいし、最初は利用者に割り当てられているボックスを単純に表示させ、その後の利用者からの指示に応じて、移転先のボックスが容易に判別可能となるように表示を変更させてもよい。
【００４２】
また、「移転先のボックスの判別が容易な態様で表示させる」こととしては、移転先のボックスを他のボックスと視覚的に異なる態様（色、模様、形状等が異なる態様）で表示させることや、移転先のボックスを他のボックスよりも優先して先頭に表示させること、移転先のボックスだけを表示させることなどが挙げられる。
【００４３】
なお、本実施の形態では、情報処理装置２３は、ハードウェア資源とソフトウェアとの協働により実現される。ここで、ハードウェア資源としては、ＣＰＵ（Central Processing Unit）、ＲＯＭ（Read Only Memory）、メインメモリ、外部記憶装置、入力装置、表示装置、および通信装置などがある。また、ソフトウェアとしては、オペレーティングシステム（Operating System）や各種アプリケーションプログラムなどがある。具体的には、上記情報処理装置２３の機能は、記録媒体に記録されたプログラムがメインメモリに読み出されてＣＰＵにより実行されることによって実現される。上記プログラムは、ＣＤ−ＲＯＭ等の記録媒体に記録されて提供されることも可能であるし、通信手段により提供されることも可能である。ただし、情報処理装置２３は、ハードウェアのみにより実現されてもよい。
【００４４】
また、本実施の形態では、利用者装置１０と情報処理装置２３との間の通信は、利用者装置１０上のＷｅｂブラウザと情報処理装置２３上のＷｅｂサーバとの間のＷｅｂ通信により行われる。ただし、他のアプリケーションソフト同士の通信など、他の態様で通信が行われてもよい。
【００４５】
次に、本実施の形態における情報処理装置２３の動作について、２つの場合を例示して具体的に説明する。
【００４６】
（第１の場合）
図３は、第１の場合を示す図である。第１の場合では、図３に示されるように、１つの契約を新たな１つの契約に移行することにより、各利用者に割り当てられるボックスの個数が増加する。具体的には、契約Ｃ１１から契約Ｃ１２への移行により、１個のボックスＢ１１が割り当てられていた利用者Ｕ１１，Ｕ１２に対して新たな３個のボックスＢ１２，Ｂ１３，Ｂ１４が割り当てられ、以前のボックスＢ１１内の情報が新たなボックスＢ１２に移転されている。
【００４７】
ここで、上記「Ｃ１１」等は契約を識別するための契約ＩＤであり、「Ｂ１１」等はボックスを識別するためのボックスＩＤであり、「Ｕ１１」等は利用者を識別するための利用者ＩＤである。
【００４８】
また、図３に示される移行前のテーブル３０１および移行後のテーブル３０２は、例えば情報処理装置２３によって記憶部２２内に作成される。なお、移行前のテーブル３０１は、移行後に削除されてもよい。
【００４９】
上記契約の移行が行われた場合、情報処理装置２３は、図３のテーブル３０３のように、移行に係る利用者の利用者ＩＤ「Ｕ１１」，「Ｕ１２」と関連付けて、移転先のボックスのボックスＩＤ「Ｂ１２」を記憶部２２に記録する。
【００５０】
この場合において、情報処理装置２３は、利用者装置１０から例えば利用者ＩＤ「Ｕ１１」を含む接続要求を受けると、テーブル３０２に基づいて、当該利用者ＩＤ「Ｕ１１」に割り当てられているボックスＢ１２〜Ｂ１４を利用者装置１０の表示画面上に表示させる。このとき、またはその後の利用者装置１０からの指示に基づき、情報処理装置２３は、テーブル３０３に基づき、上記利用者ＩＤ「Ｕ１１」と関連付けて記録されている移転先のボックスＢ１２の判別が容易な態様で、ボックスＢ１２〜Ｂ１４を表示させる。具体的には、情報処理装置２３は、ボックスＢ１２のアイコンを強調表示させたり、ボックスＢ１２のアイコンをボックスリストの先頭に表示させたり、ボックスＢ１２のアイコンだけを表示させたりする。
【００５１】
上記利用者装置１０の表示画面上で、特定のボックスに対する特定のファイルの格納操作（例えばボックスアイコンにファイルアイコンをドラッグアンドドロップする操作）が行われると、利用者装置１０は、上記特定のファイルを含む上記特定のボックスに対する格納要求を情報処理装置２３に送る。情報処理装置２３は、当該格納要求を受けると、上記特定のファイルを情報格納部２１内の上記特定のボックスに記憶させる。
【００５２】
また、上記利用者装置１０の表示画面上で、特定のボックスに対する閲覧操作（例えばボックスアイコンをダブルクリックする操作）が行われると、利用者装置１０は、上記特定のボックスの閲覧要求を情報処理装置２３に送る。情報処理装置２３は、当該閲覧要求を受けると、上記特定のボックス内のファイルの一覧を利用者装置１０の表示画面上に表示させる。そして、当該表示画面上で特定のファイルに対する取得操作（例えば特定のファイルアイコンを利用者装置１０上の特定のフォルダアイコンにドラッグアンドドロップする操作）が行われると、利用者装置１０は、上記特定のファイルの取得要求を情報処理装置２３に送る。情報処理装置２３は、当該取得要求を受けると、上記特定のボックス内の上記特定のファイルを利用者装置１０に渡す。
【００５３】
なお、特定のボックスにファイルを格納するための操作や、特定のボックスからファイルを取得するための操作は、上記に限定されない。
【００５４】
（第２の場合）
図４は、第２の場合を示す図である。第２の場合では、図４に示されるように、３つの契約を統合して新たな１つの契約に移行することにより、各利用者に割り当てられるボックスの個数が増加する。具体的には、契約Ｃ２１，Ｃ２２，Ｃ２３を統合して新たな契約Ｃ２４に移行することにより、それぞれ１個のボックスが割り当てられていた利用者Ｕ２１〜Ｕ２６の各々に対して、新たな３個のボックスＢ２４，Ｂ２５，Ｂ２６が割り当てられ、以前のボックスＢ２１，Ｂ２２，Ｂ２３内の情報がそれぞれボックスＢ２４，Ｂ２５，Ｂ２６に移転されている。
【００５５】
ここで、図４に示される移行前のテーブル４０１および移行後のテーブル４０２は、例えば情報処理装置２３によって記憶部２２内に作成される。なお、移行前のテーブル４０１は、移行後に削除されてもよい。
【００５６】
上記契約の移行が行われた場合、情報処理装置２３は、図４のテーブル４０３のように、移行に係る利用者の利用者ＩＤ「Ｕ２１」，「Ｕ２２」と関連付けて移転先のボックスのボックスＩＤ「Ｂ２４」を記録し、利用者ＩＤ「Ｕ２３」，「Ｕ２４」と関連付けてボックスＩＤ「Ｂ２５」を記録し、利用者ＩＤ「Ｕ２５」，「Ｕ２６」と関連付けてボックスＩＤ「Ｂ２６」を記録する。
【００５７】
この場合において、情報処理装置２３は、利用者装置１０から例えば利用者ＩＤ「Ｕ２１」を含む接続要求を受けると、テーブル４０２に基づいて、当該利用者ＩＤ「Ｕ２１」に割り当てられているボックスＢ２４〜Ｂ２６を利用者装置１０の表示画面上に表示させる。このとき、またはその後の利用者装置１０からの指示に基づき、情報処理装置２３は、テーブル４０３に基づいて、上記利用者ＩＤ「Ｕ２１」と関連付けて記録されている移転先のボックスＢ２４の判別が容易な態様で、ボックスＢ２４〜Ｂ２６を表示させる。具体的には、情報処理装置２３は、上記第１の場合と同様にボックスＢ２４のアイコンの強調表示等を行う。
【００５８】
なお、当該第２の場合においても、上記第１の場合と同様に、ボックスへのファイルの格納やボックスからのファイルの取得が行われる。
【００５９】
以上のとおり、本実施の形態では、情報格納部内のボックスが利用者に提供されるシステムにおいて、Ｍ個（Ｍは１以上の整数）のボックスが割り当てられていた利用者に対して、新たなＮ個（ＮはＭより大きい整数）のボックスが割り当てられ、以前のＭ個のボックス内の情報が新たなＭ個のボックスに移転された場合に、情報処理装置２３は、上記利用者を識別する利用者ＩＤと関連付けて、移転先のＭ個のボックスを記憶部に記録する。そして、情報処理装置２３は、利用者装置（外部装置）から利用者ＩＤを含む接続要求を受けると、当該利用者ＩＤにより識別される利用者に割り当てられているボックスを、当該利用者ＩＤと関連付けて記憶部に記録されている移転先のボックスの判別が容易な態様で、上記利用者装置に表示させる。このため、本実施の形態によれば、上記の場合において、以前のボックスに対応する移転先のボックスを容易に判別することが可能となる。
【００６０】
例えば、複数の契約を統合して１つの新しい契約に乗り換えた場合に、統合前の契約のボックスに相当するボックスが容易に判別できるようになる。また、例えば、契約変更などにより利用可能なボックス数が増加した場合に、変更前に使用していたボックスに相当するボックスが容易に判別できるようになる。
【００６１】
［第２の実施の形態］
本実施の形態に係るシステムは、上記第１の実施の形態に係るシステムと殆ど同じである。そこで、以下、本実施の形態に係るシステムについて説明するが、上記第１の実施の形態と共通する部分については、同一の符号を用い、説明を省略する。
【００６２】
本実施の形態に係るシステムでは、利用者に提供されるボックスの個数を増加させる移行が行われると、上記利用者を識別する新たな利用者ＩＤが用意され、上記利用者に対して新たなＮ個（Ｎは２以上の整数）のボックスが割り当てられ、移行前のＭ個（ＭはＮより小さい整数）のボックス内の情報が新たなＭ個のボックスに移転される。
【００６３】
記録部２３ａは、上記ボックスの個数を増加させる移行が行われた場合に、移転先のボックスの各々について、新たな利用者ＩＤと移転先のボックスとの対と関連付けて、移行前の利用者ＩＤを検索情報として記憶部２２に記録する。
【００６４】
また、記録部２３ａは、上記移行が行われた場合に、当該移行前の利用者ＩＤとボックスＡとの対と関連付けて検索情報Ｂが記憶部２２に記録されているときには、新たな利用者ＩＤと上記ボックスＡに対応する移転先のボックスとの対と関連付けて、上記検索情報Ｂを記憶部２２に記録する。分かり易く言えば、記録部２３ａは、移行前のボックスに関連付けられていた検索情報を、当該移行前のボックスに対応する移転先のボックスに引き継がせる。
【００６５】
表示部２３ｂは、利用者装置１０から利用者ＩＤを含む接続要求を受けると、当該利用者ＩＤにより識別される利用者に割り当てられているボックスを上記利用者装置１０に表示させ、上記利用者装置１０から検索情報の指定を受けると、記憶部２２の記録内容に基づき、上記利用者ＩＤと対をなし、上記指定された検索情報と関連付けられている移転先のボックスが容易に判別可能となるように、上記利用者装置１０における表示を変更させる。
【００６６】
ここで、「移転先のボックスが容易に判別可能となるように表示を変更させる」こととしては、移転先のボックスが他のボックスと視覚的に異なる態様（色、模様、形状等が異なる態様）で表示されるように表示を変更させることや、移転先のボックスが他のボックスよりも優先して先頭に表示されるように表示を変更させること、移転先のボックスだけが表示されるように表示を変更させることなどが挙げられる。
【００６７】
さらに、本実施の形態では、記録部２３ａは、利用者から（例えば利用者装置１０を介して）当該利用者に割り当てられたボックスに対する名称の設定指示を受けると、当該利用者を識別する利用者ＩＤと当該ボックスとの対と関連付けて、上記指示された名称を記憶部２２に記録する。
【００６８】
また、記録部２３ａは、上記移行が行われた場合に、当該移行前の利用者ＩＤとボックスＣとの対と関連付けて名称Ｄが記憶部２２に記録されているときには、新たな利用者ＩＤと上記ボックスＣに対応する移転先のボックスとの対と関連付けて、上記名称Ｄを記憶部２２に記録する。分かり易く言えば、記録部２３ａは、移行前のボックスに関連付けられていた名称を、当該移行前のボックスに対応する移転先のボックスに引き継がせる。
【００６９】
そして、表示部２３ｂは、ある利用者のあるボックスを表示させる場合に、当該利用者と当該ボックスとの対と関連付けて名称が記憶部２２に記録されているときには、当該名称を当該ボックスと関連付けて表示させる。例えば、ボックスがフォルダアイコンとして表示される場合には、上記名称はフォルダ名としてフォルダアイコンの下側に表示される。
【００７０】
さらに、本実施の形態では、記録部２３ａは、利用者から（例えば利用者装置１０を介して）当該利用者に割り当てられたボックスに対する分類名の設定指示を受けると、当該利用者を識別する利用者ＩＤと当該ボックスとの対と関連付けて、上記指示された分類名を記憶部２２に記録する。
【００７１】
また、記録部２３ａは、上記移行が行われた場合に、当該移行前の利用者ＩＤとボックスＥとの対と関連付けて分類名Ｆが記憶部２２に記録されているときには、新たな利用者ＩＤと上記ボックスＥに対応する移転先のボックスとの対と関連付けて、上記分類名Ｆを記憶部２２に記録する。分かり易く言えば、記録部２３ａは、移行前のボックスに関連付けられていた分類名を、当該移行前のボックスに対応する移転先のボックスに引き継がせる。
【００７２】
そして、表示部２３ｂは、利用者装置１０から利用者ＩＤを含む接続要求を受けると、当該利用者ＩＤにより識別される利用者に割り当てられているボックスを上記利用者装置１０に表示させ、上記利用者装置１０から分類名の指定を受けると、記憶部２２の記録内容に基づき、上記利用者ＩＤと対をなし、上記指定された分類名と関連付けられているボックスが容易に判別可能となるように、上記利用者装置１０における表示を変更させる。
【００７３】
ここで、「ボックスが容易に判別可能となるように表示を変更させる」こととしては、上記ボックスが他のボックスと視覚的に異なる態様（色、模様、形状等が異なる態様）で表示されるように表示を変更させることや、上記ボックスが他のボックスよりも優先して先頭に表示されるように表示を変更させること、上記ボックスだけが表示されるように表示を変更させることなどが挙げられる。
【００７４】
次に、本実施の形態における情報処理装置２３の動作について具体的に説明する。なお、以下の説明においては、各テーブルは情報処理装置２３によって記憶部２２内に記録されるものとし、検索処理は利用者装置１０からの指示に基づいて情報処理装置２３により実行されるものとし、表示制御は情報処理装置２３により実行されるものとする。
【００７５】
図５は、サービス提供者（例えばＡＳＰ）と結ばれた契約であって、２点間で情報を伝達するために必要とされる最小構成の契約の一例を示す概念図である。図５において、１つの契約５０１において、ファイルを格納する領域となるボックス５０２が最小で１つ用意されている。さらに、本例では、利用者装置１０として、契約５０１内のボックス５０２に接続するための接続元である複合機５０３およびコンピュータ５０４が最小で１つずつ用意される。そして、本例では、利用者ＩＤとして、複合機５０３およびコンピュータ５０４に対して、契約内のボックス５０２へ接続するための接続ＩＤが発行される。
【００７６】
ここで、図５に示される最小構成の契約が３つ存在していたところ、これらが統合されて新しい契約に移行する場合を考察する。図６に、統合前の３つの最小構成の契約と、それらを統合した契約の概念図を示す。図６において、契約（契約名＝Ｃｏｎｔｒａｃｔ１）には、ボックス（ボックス名＝Ｂｏｘ１）と、２つの接続元（接続名＝Ｃｏｎｎｅｃｔｉｏｎ１，Ｃｏｎｎｅｃｔｉｏｎ２）が存在する。同様な構成の２つの契約（契約名＝Ｃｏｎｔｒａｃｔ２，Ｃｏｎｔｒａｃｔ３）が存在する。これら３つの契約が統合されて、新たに作成された契約が、契約（契約名＝Ｃｏｎｔｒａｃｔ４）である。
【００７７】
なお、以下の説明では、契約（契約名＝Ｃｏｎｔｒａｃｔ１）等を適宜にＣｏｎｔｒａｃｔ１等と略称し、ボックス（ボックス名＝Ｂｏｘ１）等を適宜にＢｏｘ１等と略称し、接続元（接続名＝Ｃｏｎｎｅｃｔｉｏｎ１）等を適宜にＣｏｎｎｅｃｔｉｏｎ１等と略称する。
【００７８】
Ｃｏｎｔｒａｃｔ４に係る３つのボックスのボックス名Ｂｏｘ１，Ｂｏｘ２，Ｂｏｘ３は、情報処理装置２３が自動で作成したものとする。新たな３つのＢｏｘ１〜３の中には、以前の３つの契約のＢｏｘ１に入っていたファイルがそれぞれ継承されている。例えば、Ｃｏｎｔｒａｃｔ１のＢｏｘ１にあったファイルはＣｏｎｔｒａｃｔ４のＢｏｘ１に継承されているとする。
【００７９】
この場合、移行前にＣｏｎｔｒａｃｔ１に含まれていたＣｏｎｎｅｃｔｉｏｎ１が、Ｃｏｎｔｒａｃｔ４への移行後に情報格納装置２０に接続すると、ボックスが３つあり、ボックスの中身を確認しなければ、今まで使用してきたボックスに対応するボックスがどれなのか、一目で判別できないことになる。
【００８０】
次に、上記図６に示される統合が行われた場合における記憶部２２で管理されているテーブル情報について説明する。
【００８１】
図７に契約管理テーブルの例を示す。契約管理テーブルには、プライマリキーとなる契約ＩＤおよび契約名のカラムが設定されている。なお、契約管理テーブルには、契約に関する他の情報が設定されてもよい。また、Ｃｏｎｔｒａｃｔ４への移行が完了した後は、Ｃｏｎｔｒａｃｔ１，Ｃｏｎｔｒａｃｔ２，Ｃｏｎｔｒａｃｔ３に関連する情報は削除してもよい。
【００８２】
図８にボックス管理テーブルの例を示す。ボックス管理テーブルには、プライマリキーとなるボックスＩＤ、契約ＩＤ、およびボックス名のカラムが設定されている。なお、ボックス管理テーブルには、ボックスに関する他の情報が設定されてもよい。また、Ｃｏｎｔｒａｃｔ４（契約ＩＤ＝０００４）への移行が完了した後は、契約ＩＤ＝０００１，契約ＩＤ＝０００２，および契約ＩＤ＝０００３に関連する情報は削除してもよい。
【００８３】
図９に接続管理テーブルの例を示す。接続管理テーブルには、プライマリキーとなる接続ＩＤ、契約ＩＤ、および接続名のカラムが設定されている。契約ＩＤと接続名との組み合わせでユニーク制約がかけられているとする。なお、接続管理テーブルには、接続に関する他の情報が設定されてもよい。また、契約（契約ＩＤ＝０００４）への移行が完了した後は、契約ＩＤ＝０００１，契約ＩＤ＝０００２，および契約ＩＤ＝０００３に関連する情報は削除してもよい。この接続管理テーブルで管理される接続ＩＤが、複合機やコンピュータ等の接続元（利用者装置１０）がボックスに接続するためのＩＤとなる。実際の認証には、別途パスワードなどの情報が追加されてもよい。
【００８４】
図１０に第１のボックスカスタマイズ管理テーブルの例を示す。この第１のボックスカスタマイズ管理テーブルは、移転先のボックスを検索するための管理テーブルである。図１０において、接続ＩＤとボックスＩＤとの対（組み合わせ）に対して、複数の検索情報（移行前の接続ＩＤ）が設定され得るので、別途プライマリキー（ＰＫ）のカラムが設けられている。
【００８５】
上記の移行が実行されると、当該管理テーブルには、図１０に示されるように、新たな接続ＩＤと、当該接続ＩＤに係る移転先のボックスのボックスＩＤとの対と関連付けて、移行前の接続ＩＤが検索情報のカラムに設定される。例えば、Ｃｏｎｎｅｃｔｉｏｎ１に注目すると、新たな接続ＩＤは「０００７」であり、移行前の接続ＩＤは「０００１」であり、移行前の接続ＩＤ「０００１」に対応する契約ＩＤは「０００１」であり、契約ＩＤ「０００１」に対応するボックスＩＤは「０００１」であり、ボックスＩＤ「０００１」のボックスに対応する移転先のボックスのボックスＩＤは「０００４」であるので、図１０の１行目のように、新たな接続ＩＤ「０００７」と移転先のボックスのボックスＩＤ「０００４」との対と関連付けて、移行前の接続ＩＤ「０００１」が検索情報として記録される。
【００８６】
以上の状況を踏まえて、図６において、Ｃｏｎｔｒａｃｔ４への移行が完了した後に、Ｃｏｎｎｅｃｔｉｏｎ１が情報格納装置２０への接続を試みた場合を考察する。Ｃｏｎｎｅｃｔｉｏｎ１は、図９から分かる通り、接続ＩＤが「０００１」から「０００７」に切り替わっている。従って、Ｃｏｎｎｅｃｔｉｏｎ１は、接続ＩＤ「０００７」に基づいて接続する。すると、３つのボックス（ボックスＩＤ＝０００４〜０００６）が存在する。そこで、図１０の管理テーブルにおいて、移行前の接続ＩＤである「０００１」で検索処理が行われ、ボックス（ボックスＩＤ＝０００４）が移転先のボックスであることが認識される。そして、当該認識に基づき、ボックス（ボックスＩＤ＝０００４）以外のボックス（ボックスＩＤ＝０００５，０００６）を表示画面上で隠す処理が行われ、図６のＣｏｎｔｒａｃｔ１での表示状態が再現される。また、この場合において、上記隠す処理に代えて、ボックス（ボックスＩＤ＝０００４）を強調する表示への切り替えが行われてもよい。
【００８７】
次に、Ｃｏｎｔｒａｃｔ４から更に規模が大きくなったボックス数が１０個あるＣｏｎｔｒａｃｔ５に移行した場合を考える。例えば、接続ＩＤ「０００７」は「００２０」となり、ボックスＩＤ＝０００４，０００５，０００６のボックス内の情報はそれぞれボックスＩＤ＝００１１，００１２，００１３のボックスに移転されたとする。このとき、第１のボックスカスタマイズ管理テーブルに追加された接続ＩＤ＝００２０の行を抜粋して図１１に示す。移転先のボックスのボックスＩＤは「００１１」、「００１２」、「００１３」なので、これらのボックスＩＤに対応する検索情報のカラムに移行前の接続ＩＤ「０００７」が設定される。さらに、移行前の管理テーブル（図１０）には移行前の接続ＩＤ「０００７」とボックスＩＤ「０００４」との対と関連付けられて検索情報（接続ＩＤ＝０００１）が設定されている。そこで、移行後の管理テーブル（図１１）では、新たな接続ＩＤ「００２０」と移行前のボックス（ボックスＩＤ＝０００４）に対応する移転先のボックスのボックスＩＤ「００１１」との対と関連付けて、上記検索情報（接続ＩＤ＝００１１）が設定される。すなわち、移行前のボックス（ボックスＩＤ＝０００４）に関連付けられていた検索情報（接続ＩＤ＝０００１）が、移転先のボックス（ボックスＩＤ＝００１１）に対応する検索情報のカラムに引き継がれる。したがって、１つ前の接続ＩＤである「０００７」で検索処理を行うと、移転先のボックスがボックス（ボックスＩＤ＝００１１，００１２，００１３）であることが分かる他に、２つ前の接続ＩＤである「０００１」で検索処理を行うと、２つ移行前に使用していたボックスの移転先がボックス（ボックスＩＤ＝００１１）であることが分かる。
【００８８】
図１２に第２のボックスカスタマイズ管理テーブルの例を示す。この第２のボックスカスタマイズ管理テーブルは、ボックスの名称（ボックス名）の管理テーブルである。第２のボックスカスタマイズ管理テーブルでは、接続ＩＤとボックスＩＤとの対（組み合わせ）をプライマリキーとして、ボックスの名称（ボックス名）を１つ設定することができる。
【００８９】
図６において、Ｃｏｎｔｒａｃｔ４への移行が完了した後に、Ｃｏｎｎｅｃｔｉｏｎ３（接続ＩＤ＝０００９）が接続を試みて、先のＣｏｎｎｅｃｔｉｏｎ１（接続ＩＤ＝０００７）と同様のシナリオを実行したとすると、例えばＣｏｎｔｒａｃｔ２における表示状態が再現される。しかし、ボックス名が図８の通り「Ｂｏｘ２」となっている。そこで、Ｃｏｎｎｅｃｔｉｏｎ３（接続ＩＤ＝０００９）は、ボックス（ボックスＩＤ＝０００５）のボックス名として「ｍｙＢｏｘ」を指定する。すると、図１２のように、接続ＩＤ「０００９」とボックスＩＤ「０００５」との対と関連付けて、ボックス名「ｍｙＢｏｘ」が設定される。これにより、他の接続元が影響を受けることなくボックス名が変更される。
【００９０】
図１３に第３のボックスカスタマイズ管理テーブルの例を示す。この第３のボックスカスタマイズ管理テーブルは、ボックスの分類名の管理テーブルである。図１３において、接続ＩＤとボックスＩＤとの対（組み合わせ）に対して、複数の分類名が設定可能であるので、別途プライマリキー（ＰＫ）のカラムが設けられている。
【００９１】
図６において、Ｃｏｎｔｒａｃｔ４への移行が完了した後に、Ｃｏｎｎｅｃｔｉｏｎ１（接続ＩＤ＝０００７）が、毎日使用するボックスはボックスＩＤ＝０００４の１つ、週に１回使用するものはボックスＩＤ＝０００４，０００５の２つと画面を切り替えて使用したいと想定する。この場合、Ｃｏｎｎｅｃｔｉｏｎ１は、図１３に示すように、ボックスＩＤ「０００４」に関連付けて分類名「毎日」を設定し、ボックスＩＤ「０００４」、「０００５」に関連付けて分類名「週に１回」を設定する。この場合において、Ｃｏｎｎｅｃｔｉｏｎ１（接続ＩＤ＝０００７）によって画面切り替え用の検索キーとして「毎日」が選択された場合は、図１３の管理テーブルに基づきボックスＩＤ「０００４」が検索され、当該検索結果に基づき、ボックスＩＤ「０００４」のボックスだけが色が反転するなど強調されて表示されたり、ボックスリストの先頭に表示されたりする。検索キーとして「週に１回」が選択された場合は、図１３の管理テーブルに基づきボックスＩＤ「０００４」、「０００５」が検索され、当該検索結果に基づき、２つのボックス（ボックスＩＤ＝０００４，０００５）だけが色が反転するなど強調されて表示されたり、ボックスリストの先頭に表示されたりする。
【００９２】
なお、上記第１のボックスカスタマイズ管理テーブルと第３のボックスカスタマイズ管理テーブルとは、プライマリキーが共通であるので、共通のテーブルとして作成されてもよい。
【００９３】
以上のとおり、本実施の形態では、情報格納部内のボックスが利用者に提供されるシステムであって、利用者に提供されるボックスの個数を増加させる移行が行われると、上記利用者を識別する新たな利用者ＩＤが用意され、上記利用者に対して新たなＮ個（Ｎは２以上の整数）のボックスが割り当てられ、移行前のＭ個（ＭはＮより小さい整数）のボックス内の情報が新たなＭ個のボックスに移転されるシステムにおいて、上記移行が行われた場合に、情報処理装置は、移転先のボックスの各々について、新たな利用者ＩＤと移転先のボックスとの対と関連付けて、移行前の利用者ＩＤを検索情報として記憶部に記録する。そして、情報処理装置は、利用者装置（外部装置）から利用者ＩＤを含む接続要求を受けると、当該利用者ＩＤにより識別される利用者に割り当てられたボックスを上記利用者装置に表示させ、上記利用者装置から検索情報の指定を受けると、記憶部の記録内容に基づき、上記利用者ＩＤと対をなし、上記指定された検索情報と関連付けられている移転先のボックスが容易に判別可能となるように、上記利用者装置における表示を変更させる。このため、本実施の形態によれば、上記移行が行われた場合において、移行前のボックスに対応する移転先のボックスを容易に判別することが可能となる。
【００９４】
例えば、複数の契約を統合して、１つの新しい契約に乗り換えた場合に、統合前の契約のボックスに相当するボックスが容易に判別できるようになる。また、例えば、契約変更などにより、利用可能なボックス数が増加した場合に、変更前に使用していたボックスに相当するボックスが容易に判別できるようになる。
【００９５】
また、本実施の形態では、情報処理装置は、上記移行が行われた場合に、当該移行前の利用者ＩＤとボックスＡとの対と関連付けて検索情報Ｂが記憶部に記録されているときには、新たな利用者ＩＤと上記ボックスＡに対応する移転先のボックスとの対と関連付けて、上記検索情報Ｂを記憶部に記録する。このため、本実施の形態によれば、上記移行がＮ回行われた場合に、所望のｎ回前（ｎは１以上Ｎ以下の整数）のボックスに対応する移転先のボックスを容易に判別することが可能となる。
【００９６】
また、本実施の形態では、情報処理装置は、利用者から当該利用者に割り当てられたボックスに対する名称の設定指示を受けると、当該利用者を識別する利用者ＩＤと当該ボックスとの対と関連付けて、上記指示された名称を記憶部に記録する。そして、情報処理装置は、ある利用者のあるボックスを表示させる場合に、当該利用者と当該ボックスとの対と関連付けて名称が記憶部に記録されているときには、当該名称を当該ボックスと関連付けて表示させる。このため、本実施の形態によれば、利用者毎に、ボックスと関連付けて表示されるボックスの名称を利用者が設定することが可能となる。具体的には、管理担当者の工数を割くことなく、利用者にとって都合のよい名称を利用者自身で決定することができる。
【００９７】
また、本実施の形態では、情報処理装置は、上記移行が行われた場合に、当該移行前の利用者ＩＤとボックスＣとの対と関連付けて名称Ｄが記憶部に記録されているときには、新たな利用者ＩＤと上記ボックスＣに対応する移転先のボックスとの対と関連付けて、上記名称Ｄを記憶部に記録する。このため、本実施の形態によれば、移行前のボックスに設定されていた名称を、当該移行前のボックスに対応する移転先のボックスに引き継ぐことが可能となる。これにより、移行が行われた際、名称を再設定する手間を省くことが可能となる。
【００９８】
また、本実施の形態では、情報処理装置は、利用者から当該利用者に割り当てられたボックスに対する分類名の設定指示を受けると、当該利用者を識別する利用者ＩＤと当該ボックスとの対と関連付けて、上記指示された分類名を記憶部に記録する。そして、情報処理装置は、利用者装置から利用者ＩＤを含む接続要求を受けると、当該利用者ＩＤにより識別される利用者に割り当てられたボックスを上記利用者装置に表示させ、上記利用者装置から分類名の指定を受けると、記憶部の記録内容に基づき、上記利用者ＩＤと対をなし、上記指定された分類名と関連付けられているボックスが容易に判別可能となるように、上記利用者装置における表示を変更させる。このため、本実施の形態によれば、利用者毎に、ボックスに対して分類名を付加することが可能となり、分類名の指定によって特定のボックスを容易に判別することが可能となる。
【００９９】
また、本実施の形態では、情報処理装置は、上記移行が行われた場合に、当該移行前の利用者ＩＤとボックスＥとの対と関連付けて分類名Ｆが記憶部に記録されているときには、新たな利用者ＩＤと上記ボックスＥに対応する移転先のボックスとの対と関連付けて、上記分類名Ｆを記憶部に記録する。このため、本実施の形態によれば、移行前のボックスに設定されていた分類名を、当該移行前のボックスに対応する移転先のボックスに引き継ぐことが可能となる。これにより、移行が行われた際、分類名を再設定する手間を省くことが可能となる。
【０１００】
なお、本発明は、上記実施の形態に限定されるものではなく、本発明の要旨を逸脱しない範囲内で種々変更することができる。
【図面の簡単な説明】
【０１０１】
【図１】実施の形態に係る情報処理装置を含むシステムの全体構成の一例を示すブロック図である。
【図２】情報格納装置の機能構成の一例を示すブロック図である。
【図３】第１の実施の形態における情報処理装置の動作の一例を説明するための、第１の場合を示す図である。
【図４】第１の実施の形態における情報処理装置の動作の一例を説明するための、第２の場合を示す図である。
【図５】２点間で情報を伝達するために必要とされる最小構成の契約の一例を示す概念図である。
【図６】統合前の３つの最小構成の契約と、それらを統合した契約とを示す概念図である。
【図７】契約管理テーブルの例を示す図である。
【図８】ボックス管理テーブルの例を示す図である。
【図９】接続管理テーブルの例を示す図である。
【図１０】第１のボックスカスタマイズ管理テーブルの例を示す図である。
【図１１】契約の移行が２回行われた場合における、第１のボックスカスタマイズ管理テーブルの例の一部を示す図である。
【図１２】第２のボックスカスタマイズ管理テーブルの例を示す図である。
【図１３】第３のボックスカスタマイズ管理テーブルの例を示す図である。
【図１４】情報の伝達や共有を可能とする従来のシステムの構成の一例を示すブロック図である。
【符号の説明】
【０１０２】
１  システム、１０（１０−１，１０−２）  利用者装置、２０  情報格納装置、２１  情報格納部、２２  記憶部、２３  情報処理装置、２３ａ  記録部、２３ｂ  表示部。
【図１】
2008097464.tif 000003
【図２】
2008097464.tif 000004
【図３】
2008097464.tif 000005
【図４】
2008097464.tif 000006
【図５】
2008097464.tif 000007
【図６】
2008097464.tif 000008
【図７】
2008097464.tif 000009
【図８】
2008097464.tif 000010
【図９】
2008097464.tif 000011
【図１０】
2008097464.tif 000012
【図１１】
2008097464.tif 000013
【図１２】
2008097464.tif 000014
【図１３】
2008097464.tif 000015
【図１４】
2008097464.tif 000016